(57)【要約】【課題】熱的、機械的に堅牢であり、熱伝導がよく遠赤外線高効果で魚を外観よく美味しく焼き上げることができ、焼いた魚から排出される油等を落下流出させることなく、焼き上げてからも余熱で保温されるという調理素材加熱用板状体。【解決手段】調理素材加熱用板状体として、好ましくは重量比７対３からなるペタライトと蛙目粘土との混合物を生地にし所定形状に成形したものに、釉薬として重量比８対２からなるペタライトとフリットの粉体混合物に等重量の水を加えたものをほどこし、1180℃で焼成して得られる。形状としては、平板状に四角形をなし、上面にうね状の突条を並列し、上面周辺付近を所定幅傾斜させて周縁を高くし、少なくとも上面全体と下面周辺付近に釉薬をほどこし、対向辺に把持片を突出させ、底面各辺の内側に載置用脚部を設けてある。【選択図】      図１
2006167062.tif 000002
【特許請求の範囲】
【請求項１】
ペタライトと蛙目（ガイロメ）粘土との混合物を生地にし所定形状に成形したものに、釉薬としてペタライトとフリットとの含水混合物をほどこし焼成して得られる調理素材加熱用板状体。
【請求項２】
重量比７対３からなるペタライトと蛙目粘土との混合物を生地にし所定形状に成形したものに、釉薬として重量比８対２からなるペタライトとフリットの粉体混合物に等重量の水を加えたものをほどこし、1180℃で焼成して得られる請求項１記載の調理素材加熱用板状体。
【請求項３】
形状として、平板状に四角形をなし、上面にうね状の突条を並列して、上面周辺付近を所定幅傾斜させて周縁を高くし、少なくとも上面全体と下面周辺付近に釉薬をほどこし、対向辺に把持片を突出させ、底面各辺の内側に載置用脚部を設けてある請求項１記載の調理素材加熱用板状体。
【発明の詳細な説明】
【技術分野】
【０００１】
本発明は調理素材の加熱用板状体の製法とその形状に関する。
【背景技術】
【０００２】
従来、魚類や野菜類、肉類等調理素材の加熱用器具として、金属材料による格子状や並列状あるいは平板状のものが広く使用され、加熱源の上方に置かれて使用されているが、焼き上げる際に焦げたり、煙がでたり、液汁がこぼれ落ちることが多く、調理素材の焼き上がりの外観や調理場の雰囲気を阻害することがお多く、改善が望まれている。
【０００３】
従来にみられ改善策として、特許文献１によれば、調理素材を揚げたり、ゆでたり、煮炊きするための陶磁器鍋として、焼き上げ前の素材中に耐熱性、耐薬品性、機械的強度、電気的特性に優れ、成形時に高流動性を有する結晶性樹脂からなるセラミック材料を混練し、完成した鍋本体の表面にフッソ樹脂塗膜を形成させたものがみられ、その結果、熱伝導率がよいため、素材の細胞を痛めず、持ち味を生かしたおいしい料理ができるというが、フッソ樹脂塗膜の耐久性に限界があり、フッソ樹脂使用による経済性にも問題がある。      
【０００４】
一方、電磁誘導加熱方式による土鍋として、アルミニウムや銀などを厚さ０．５ｍｍ以下の薄膜として貼り付けたものが市販されているが、アルミニウムや銀などは熱膨張係数が土鍋に比較して大きいため、調理器として使用中にクラックや剥離が生じたりする問題がある。そのため、導電性のセラミックスが研究され、たとえば、特許文献２によりホウ化ジルコニウムなどと酸化物系のβ−スポンジュメンなどとの複合体が知られているが、耐衝撃性に弱く、高価であり経済的でない。
【０００５】
そこで、安価で耐衝撃性に優れた発熱体として、セラミックス発熱体として、酸化物系セラミックスと炭素材とを含み、電磁誘導加熱により発熱するものとして、炭素材が鱗状黒鉛であり、酸化物系セラミックスがリチウム及びアルミニウムを含むケイ酸塩系セラミックスであることを特徴とするものが特許文献３により提案されているが、セラミックス発熱体として、電磁誘導加熱の設備を別途必要とするものであり、使用場所が限定されるので、汎用性に欠けるから、当該提案には問題がある。
【０００６】
なお、目を転じて魚焼器として従来の考案をみると、魚類の魚皮を痛めることなく、美しく焼き上げることができるものとして、特許文献４によれば、載置面を鋸歯波形に形成した載置板を枠内に複数枚装着して構成し、各載置板には油受片を具有させ、油垂れを防ぎ、油溜まりへと導くようにしてあり、鋸歯波形が配列されているので、魚類が多数の点で受けた状態で焼き上がるので、焼き上がった魚類を外しても皮身が剥がれることなく、自然の形で焼き上がるという特許文献４がみられるが、魚類が多数の点で受けた状態で焼き上がるので、むしろ多数の点が魚類の皮身に刺さり、傷跡が食欲を損ねるという難がある。
【０００７】
これと同様の目的で、グリルの中のグリル網を外して、グリルの受け皿の上にアルミ箔を用いたトレーを載せる。そのトレーには斜めに凹凸が付いていて魚を載せて魚が焼き終われば、それなるアルミ箔を廃棄するというが、魚が自然の形で焼き上がるというものの、形状を維持し得るアルミ箔の強度に問題があるほか、アルミ資源の消費や環境保全上の問題もある。
【０００８】
ほかにも、特許文献５の魚焼器として、魚載せ板の外周縁に鍔部を形成して機械的強度をもたせ、その内側に突条を多数突設し、中央を最も高く盛り上げ、鍔部の内側に凹溝を設けて焼いた魚から排出される油等を下方への傾斜で当該凹溝に流出させて、魚をカラッと美味しく焼き上げるというが、魚が突状から転げ落ちやすく、むしろ魚をカラッと美味しく焼き上げるというのが困難とみられる。
【特許文献１】特開平１０−４３０５８
【特許文献２】特開平２００２−１６７２６６
【特許文献３】特開平２００４−２９９９１３
【特許文献４】実用新案登録第３１０４９０６号
【特許文献５】実用新案登録第３０４４５３０号
【発明の開示】
【発明が解決しようとする課題】
【０００９】
本発明は加熱源の種類に左右されることなく、熱的にも機械的にも堅牢であり、熱伝導がよく遠赤外線高効果で魚を外観よく美味しく焼き上げることができ、焼いた魚から排出される油等を落下流出させることなく、焼き上げてからも板状体の余熱で保温されるという調理素材加熱用板状体を提供せんとするものである。
【課題を解決するための手段】
【００１０】
ここにおいて、本発明者は  ペタライトと蛙目（ガイロメ）粘土との混合物を生地にし所定形状に成形したものに、釉薬としてペタライトとフリットとの含水混合物をほどこし焼成して調理素材加熱用板状体が得られることを見出し、それが、好ましくは重量比７対３からなるペタライトと蛙目粘土との混合物を生地にし所定形状に成形したものに、釉薬として重量比８対２からなるペタライトとフリットの粉体混合物に等重量の水を加えたものをほどこし、1180℃で焼成して得られること、ならびに形状として、平板状に四角形をなし、上面にうね状の突条を並列して、上面周辺付近を所定幅傾斜させて周縁を高くし、少なくとも上面全体と下面周辺付近に釉薬をほどこし、対向辺に把持片を突出させ、底面各辺の内側に載置用脚部を設けたものが使い易いことを見出すにいたった。
【００１１】
本発明の調理素材加熱用板状体１（以下、単に加熱用板状体１と略記する）を作るには、ペタライトと蛙目（ガイロメ）粘土とを生地にしてよく混練し、型枠等を用いて成型してから、釉薬にペタライトとフリットの含水混合物を用いて焼成する。ペタライトは炭酸リチウムＬｉ2 ＣＯ3 とアルミナＡｌ2 Ｏ3 および珪石ＳｉＯ2 とから合成することもできるが、天然鉱物として存在する輸入のペタライト（ＬｉＯ2 ・Ａｌ2 Ｏ3 ・８ＳｉＯ2 ）を使用したほうが便利である。ペタライトは耐熱、耐衝撃性に優れ、低い熱膨張性を示す結晶物質で、殆ど０に近い熱膨張曲線を示すものである。また、蛙目粘土は瀬戸のものが好適で、カオリナイト鉱物で殆ど構成されており、水分をおよそ２０％含有したものを使用する。フリットは珪石や長石を混ぜて一旦ガラス状に溶融し、水に不溶性の釉薬材料としたものであり、１２００℃以下の低火度の釉薬をつくるのに用いられている。
【発明の効果】
【００１２】
本発明の加熱用板状体１は安価に量産でき、とくに、熱的にも機械的にも堅牢であることを特徴とする。また、板状体１上面６のうね状部２を形成する突条部４の頂部の断面が円弧状をなしているので、焼き上がった魚の表面にく食い込み目が生ずることなく、魚が一様に焼き上がるので食欲をそそる。また、ガス火等で焼いても、火熱の伝達に偏りがなく、加熱用板状体１全体が一様に加熱され、魚の油等は突条部４間の溝をなす凹部５に落ち、調理素材加熱用板状体１上面６の周辺付近を所定幅傾斜させて周縁を高くしてあるので、魚の油等が加熱用板状体１からこぼれ落ちるようなことがなく、魚をふっくらと美味しく焼き上げることができる。本発明の加熱用板状体１はとくに魚の場合に好適であるが、調理素材の種類が魚に限定されることはない。なお、使用にあたり、ガス直下に載せ少し温かくなってから魚を載せて焼くようにしたほうが良い。また、その結果、遠赤外線高効果で調理素材の内部がよく加熱されるので、魚特有の生臭さが消え、程よく焼くことができる。本発明の加熱用板状体１は使用直後熱くなっているので、素手で触れないで把持片８を防熱手袋で掴むこと、テーブルに細長状の載置用脚部９を介して鍋敷の上に載せ置くことを要する。加熱用板状体１に汚れがある場合は台所用洗剤で洗い乾燥させておく。もし焦げ付き汚れがみられる場合は、ナイロンたわしとクレンザー等で洗っておくと良い。
【発明を実施するための最良の形態】
【００１３】
なお、特許請求の範囲に生地成分のペタライトと蛙目粘土との重量比や釉薬におけるペタライトとフリットの粉体混合重量比や成型物の焼成温度を限定的に記載してあるが、それらは最好適な値であり、使用にあたりそれらに限定されることはなく、多少の開きがあることはいうまでもないが、焼成温度を1180℃以上にすれば、板状体が焼き割れをするのでそれは避けるべきである。
【００１４】
なお、本発明の実施例による加熱用板状体１の形状を図１ないし図５に例示してあり、たとえば、突条部４の高さが約６ｍｍあり、一辺が約１８．５ｍｍの正方形からなり、重量が約１．６ｋｇとなる。その場合、突条部４として１４本程度のものが好適である。
【産業上の利用可能性】
【００１５】
本発明の加熱用板状体１は型枠等を用いて量産され易く、各種調理素材に広く使用されると思われる。加熱用板状体１の洗浄も釉薬面７があるので容易である。
【図面の簡単な説明】
【００１６】
【図１】実施例による加熱用板状体の平面図
【図２】実施例による加熱用板状体のＡ−Ａ断面
【図３】実施例による加熱用板状体の正面図
【図４】実施例による加熱用板状体の底面図
【図５】実施例による加熱用板状体の把持片側からの側面図
【符号の説明】
【００１７】
１  調理素材加熱用板状体
２  うね状部
３  断面の凹凸曲線
４  突条部
５  凹部
６  上面
７  釉薬面
８  把持片
９  載置用脚部
【図１】
2006167062.tif 000003
【図２】
2006167062.tif 000004
【図３】
2006167062.tif 000005
【図４】
2006167062.tif 000006
【図５】
2006167062.tif 000007
【手続補正書】
【提出日】平成16年12月15日(2004.12.15)
【手続補正１】
【補正対象書類名】明細書
【補正対象項目名】０００８
【補正方法】変更
【補正の内容】
【０００８】
ほかにも、特許文献５の魚焼器として、魚載せ板の外周縁に鍔部を形成して機械的強度をもたせ、その内側に突条を多数突設し、中央を最も高く盛り上げ、鍔部の内側に凹溝を設けて焼いた魚から排出される油等を下方への傾斜で当該凹溝に流出させて、魚をカラッと美味しく焼き上げるというが、魚が突条から転げ落ちやすく、むしろ魚をカラッと美味しく焼き上げるというのが困難とみられる。
【特許文献１】特開平１０−４３０５８
【特許文献２】特開２００２−１６７２６６
【特許文献３】特開２００４−２９９９１３
【特許文献４】実用新案登録第３１０４９０６号
【特許文献５】実用新案登録第３０４４５３０号
【手続補正書】
【提出日】平成17年2月22日(2005.2.22)
【手続補正１】
【補正対象書類名】明細書
【補正対象項目名】００１２
【補正方法】変更
【補正の内容】
【００１２】
本発明の加熱用板状体１は安価に量産でき、とくに、熱的にも機械的にも堅牢であることを特徴とする。また、板状体１上面６のうね状部２を形成する突条部４の頂部の断面が円弧状をなしているので、焼き上がった魚の表面にく食い込み目が生ずることなく、魚が一様に焼き上がるので食欲をそそる。また、ガス火等で焼いても、火熱の伝達に偏りがなく、加熱用板状体１全体が一様に加熱され、魚の油等は突条部４間の溝をなす凹部５に落ち、調理素材加熱用板状体１上面６の周辺付近を所定幅傾斜させて周縁を高くしてあるので、魚の油等が加熱用板状体１からこぼれ落ちるようなことがなく、魚をふっくらと美味しく焼き上げることができる。本発明の加熱用板状体１はとくに魚の場合に好適であるが、調理素材の種類が魚に限定されることはない。なお、使用にあたり、ガス直下に載せ少し温かくなってから魚を載せて焼くようにしたほうが良い。また、その結果、遠赤外線の効果で調理素材の内部がよく加熱されるので、魚特有の生臭さが消え、程よく焼くことができる。本発明の加熱用板状体１は使用直後熱くなっているので、素手で触れないで把持片８を防熱手袋で掴むこと、テーブルに細長状の載置用脚部９を介して鍋敷の上に載せ置くことを要する。加熱用板状体１に汚れがある場合は台所用洗剤で洗い乾燥させておく。もし焦げ付き汚れがみられる場合は、ナイロンたわしとクレンザー等で洗っておくと良い。